(57)【要約】【課題】表示画面に複雑なマーカーを表示することができ、マーカー作成操作が容易であり、番組制作を容易にすることができるスタジオビデオモニタ用の映像表示装置を提供する。【解決手段】映像にその関連情報を合成して番組制作する際、該関連情報の位置を設定する目印としてマーカーを表示することができるスタジオビデオモニタ用の映像表示装置であり、映像表示装置が画素表示用の映像表示部３０と、映像表示部３０の画面に映像の関連情報を配置するためのマーカーを映像の描画用のＸＹ座標基準により作成するマーカー作成部１０と、マーカー作成手段１０によりマーカーを作成するためのポインタ入力手段１１が接続される第１の入出力端子Ｉ１  と、マーカー作成手段１０により作成したマーカー属性情報を記憶する外部マーカー記憶手段１３が接続される第２の入出力端子Ｉ２  と、マーカー作成手段１０により作成したマーカー属性情報によるマーカーを映像に重畳するマーカー合成部１９とを備えている。【選択図】図１
2010050555.tif 000002
【特許請求の範囲】
【請求項１】
映像にその関連情報を合成して番組制作する際、該関連情報の位置を設定するための目印としてマーカーを表示することができるスタジオビデオモニタ用の映像表示装置であって、
前記映像表示装置が、画素表示用の映像表示部と、該映像表示部の画面に映像の関連情報を配置するためのマーカーを描画用のＸＹ座標基準により作成するマーカー作成手段と、該マーカー作成手段によりマーカーを作成するためのポインタ入力手段が接続される第１の入出力端子と、該マーカー作成手段からのマーカー属性情報を記憶する外部マーカー記憶手段が接続される第２の入出力端子と、前記マーカー作成手段により作成したマーカー属性情報によるマーカーを映像に重畳するマーカー合成部とを備え、該映像の表示方式に基づいて前記映像表示部の画面に表示されるマーカーを目印として表示することを特徴とする映像表示装置。
【請求項２】
前記マーカー作成手段が、前記第１の入出力端子から入力されるマーカー入力情報によるマーカー描画時のＸＹ座標を検出する座標検出部と、
前記座標検出部から出力されるＸＹ座標を描画用座標に変換する座標変換部と、
前記第２の入出力端子に接続された前記外部マーカー記憶手段からのマーカー属性情報、又は前記座標検出部からのＸＹ座標情報を基にそのマーカー属性情報を記憶するＸＹ座標基準データテーブルと、
前記ＸＹ座標基準データテーブルからのマーカー属性情報を前記座標変換部によって描画用座標に変換したマーカー属性情報を記憶する表示用ＸＹ座標データテーブルとからなることを特徴とする請求項１に記載の映像表示装置。
【請求項３】
前記第１と第２の入出力端子がＵＳＢインターフェースであり、前記ポインタ入力手段がマーカーのＸＹ座標を設定するＵＳＢマウスであり、前記ＵＳＢマウスのドラッグ操作により前記マーカー描画時の起点及び終点を確定し、その起点及び終点に基づいて前記マーカーを前記映像表示部に表示することを特徴とする請求項１又は２に記載の映像表示装置。
【請求項４】
前記ＸＹ座標基準データテーブルに記憶されたマーカー属性情報が前記ＵＳＢメモリに書き込まれ、該ＵＳＢメモリに書き込まれたマーカー属性情報を前記ＸＹ座標基準データテーブルに読み出して前記マーカーを再現表示することを特徴とする請求項２又は３に記載の映像表示装置。
【請求項５】
前記マーカー属性情報が、マーカーを表示したか否を示す表示、現在描画中であるか否かを示す描画中フラグ、マーカーの表示色、及びマーカーのスタート座標である起点とエンド座標である終点の数値を含むことを特徴とする請求項１，２又は３に記載の映像表示装置。
【発明の詳細な説明】
【技術分野】
【０００１】
本発明は、番組制作に使用するスタジオビデオモニタ用の映像表示装置に関し、詳しくはマウス等によるポインタ入力操作により目印となるマーカーを画面に表示して番組制作ができる映像表示装置に関する。
【背景技術】
【０００２】
テレビショッピング等の番組制作は、ビデオカメラで撮影した商品の映像に加えて、商品のタイトルやその説明、価格等の関連情報をスタジオビデオモニタの画面上に重ねて表示し確認しながら行われている。従来、スタジオビデオモニタとしＣＲＴモニタを使用して商品映像や関連情報を重ねた映像信号を作成する場合、ＣＲＴモニタのガラス素材の画面上にマジックで直に配置位置を書いてマーカーとし、このマーカーを目印に関連情報を重畳して映像を制作していた。液晶映像表示装置を使用する場合は、画面に直にマジックでマーカーを書き付けることができないので、液晶画面に透明なフィルムを貼って、そのフィルム上にマジックでマーカーを描いて番組制作を行っているが、煩わしく、また、フィルムを通して映像を確認しなければならず、フィルムが光を反射することもあって見づらいといった問題点があった。
【０００３】
また、従来、映像表示装置の画面にマーカーを映像表示して番組制作をする場合がある。マーカーの表示には、図７（ａ）〜（ｃ）に図示したように、マーカーをスイッチＳで固定位置に固定マーカーＭ１を表示したり、画面の縦２本横２本ラインマーカーＭ２をスイッチＳの操作により任意に動かして表示したり、或いは、箱形マーカーＭ３をスイッチＳで任意のサイズや位置に動かして表示することができる機能があった。しかし、これらのスイッチ操作は、映像表示装置の前面に設けたスイッチＳを操作して映像表示装置の画面にマーカーＭ２，Ｍ３の何れかを所望の位置に表示しており、そのスイッチ操作が複雑なため、複数のラインマーカーＭ２や複数の箱形マーカーＭ３及びそれらを組み合わせたマーカーを表示させることは困難であった。
【０００４】
一方、番組制作に使用するスタジオビデオモニタではないが、従来の映像表示装置にマーカーを利用してノーマル画面からズーム画面へと映像変換を行う技術がある。図８を参照して説明すると、この映像表示装置は、入力映像のアスペクト比の変換の様子が容易に把握できることを目的とし、現在の表示状態を確認しながら円や四角形のマーカーを用いて変換過程の映像を随時確認することができるようにしたものであり、放送波がチューナー１に入力されるとともに、ビデオ信号が外部入力２に入力され、同図を参照して説明すると、操作部３での操作により映像入力切り替え部４を切り替えられて何れかが選択され、ＯＳＤ（On Screen Display ）生成部５で生成されたマーカーと映像入力切り替え部４からの映像とを映像混合部６で混合し、映像変換部７を通して映像表示部８で表示する。制御部９はこれら機能ブロックを制御している（例えば、特許文献１参照）。
【０００５】
【特許文献１】特開２００７−８８５８１号公報
【発明の開示】
【発明が解決しようとする課題】
【０００６】
テレビ番組の番組制作では、テレビショッピング等のような番組があり、このようなテレビ番組では、紹介する商品の数が多く、また、個々の商品のタイトルやその説明、価格等の商品情報を一画面に複数箇所表示して放送しなければならない場合があり、短時間に商品情報の映像を作成し放映する必要があり、従来のマーカーの手描き等の方法では種々の情報を画面上にレイアウトするのは煩わしく、非効率的であり、複雑な配置のマーカーを簡便に作成できる装置が望まれていた。また、テレビ番組の番組制作では、テレビショッピング以外にも、同様に一画面に多くの関連情報を配置して表示し放映しなければならない場合があり、画面が大型化する昨今では通常の放送番組でも一画面を関連する複数の画面に分けて放映する傾向があり、従来のスタジオビデオモニタ用の映像表示装置では、大型の画面に主映像とその映像の関連情報とを複雑に配置するのは困難な面があった。
【０００７】
なお、特許文献１の映像表示装置は、ＢＳデジタル放送や地上デジタル放送等の受信機における表示器に、ＯＳＤ生成部で生成したマーカーを映像混合部で放送波やビデオ信号に合成することが記載されている。しかし、番組制作において、文字等の関連情報を映像信号に合成する際に、画面上の位置を設定するためのマーカーではなく、番組制作に使用するスタジオビデオモニタには適用することはできないし、このようなマーカー合成技術では多くの関連情報を映像信号に合成して放映する番組を作成することは困難である。
【０００８】
本発明は、上記課題に鑑みてなされたものであり、表示画面に複雑なマーカーを表示することができ、マーカー作成操作が容易であり、番組制作を容易にすることができるスタジオビデオモニタ用の映像表示装置を提供することを目的とする。
【課題を解決するための手段】
【０００９】
本発明は、上記課題を達成したものであり、請求項１の発明は、映像にその関連情報を合成して番組制作する際、該関連情報の位置を設定するための目印としてマーカーを表示することができるスタジオビデオモニタ用の映像表示装置であって、
前記映像表示装置が、画素表示用の映像表示部と、該映像表示部の画面に映像の関連情報を配置するためのマーカーを描画用のＸＹ座標基準により作成するマーカー作成手段と、該マーカー作成手段によりマーカーを作成するためのポインタ入力手段が接続される第１の入出力端子と、該マーカー作成手段からのマーカー属性情報を記憶する外部マーカー記憶手段が接続される第２の入出力端子と、前記マーカー作成手段により作成したマーカー属性情報によるマーカーを映像に重畳するマーカー合成部とを備え、該映像の表示方式に基づいて前記映像表示部の画面に表示されるマーカーを目印として表示することを特徴とする映像表示装置である。
【００１０】
また、請求項２の発明は、前記マーカー作成手段が、前記第１の入出力端子から入力されるマーカー入力情報による描画時のマーカーのＸＹ座標を検出する座標検出部と、
前記座標検出部から出力されるＸＹ座標を描画用座標に変換する座標変換部と、
前記第２の入出力端子に接続された前記外部マーカー記憶手段からのマーカー属性情報、又は前記座標検出部からのＸＹ座標情報を基にそのマーカー属性情報を記憶するＸＹ座標基準データテーブルと、
前記ＸＹ座標基準データテーブルからのマーカー属性情報を前記座標変換部によって描画用座標に変換したマーカー属性情報を記憶する表示用ＸＹ座標データテーブルとからなることを特徴とする請求項１に記載の映像表示装置である。
【００１１】
また、請求項３の発明は、前記第１と第２の入出力端子がＵＳＢインターフェースであり、前記ポインタ入力手段がマーカーのＸＹ座標を設定するＵＳＢマウスであり、前記ＵＳＢマウスのドラッグ操作により前記マーカー描画時の起点及び終点を確定し、その起点及び終点に基づいて前記マーカーを前記映像表示部に表示することを特徴とする請求項１又は２に記載の映像表示装置である。
【００１２】
また、請求項４の発明は、前記ＸＹ座標基準データテーブルに記憶されたマーカー属性情報が前記ＵＳＢメモリに書き込まれ、該ＵＳＢメモリに書き込まれたマーカー属性情報を前記ＸＹ座標基準データテーブルに読み出して前記マーカーを再現表示することを特徴とする請求項２又は３に記載の映像表示装置である。
【００１３】
また、請求項５の発明は、前記マーカー属性情報が、マーカーを表示したか否を示す表示、現在描画中であるか否かを示す描画中フラグ、マーカーの表示色、及びマーカーのスタート座標である起点とエンド座標である終点の数値を含むことを特徴とする請求項１，２又は３に記載の映像表示装置である。
【発明の効果】
【００１４】
請求項１の発明では、映像にその関連情報を合成して番組制作する際、該関連情報の位置を設定するための目印としてマーカーを表示することができるスタジオビデオモニタ用の映像表示装置であって、
前記映像表示装置が、画素表示用の映像表示部と、該映像表示部の画面に映像の関連情報を配置するためのマーカーを描画用のＸＹ座標基準により作成するマーカー作成手段と、該マーカー作成手段によりマーカーを作成するためのポインタ入力手段が接続される第１の入出力端子と、該マーカー作成手段からのマーカー属性情報を記憶する外部マーカー記憶手段が接続される第２の入出力端子と、前記マーカー作成手段により作成したマーカー属性情報によるマーカーを映像に重畳するマーカー合成部とを備え、該映像の表示方式に基づいて前記映像表示部の画面に表示されるマーカーを目印として表示することを特徴とする映像表示装置であるので、マーカーの作成に際しポインタ入力手段による画面操作によりマーカー入力情報を作成することが可能であり、即ち、画面上に表示されるポインタやアイコンを操作してマーカー属性情報の設定が可能であって、テレビ放映方式の規格に則った表示方式に沿って映像表示部の画面上にマーカーが表示され、文字発生装置から発生する映像信号の関連情報（文字、画像、文字と画像との複合画像）を、画面に表示されたマーカーに従って配置すれば、映像と関連情報とを容易に合成することが可能であり、また、マーカー属性情報を外部マーカー記憶手段に記憶することができ、外部マーカー記憶手段に記憶したマーカー属性情報に基づいて、新たにマーカーを作成することなく、既に作成したマーカー属性情報を利用して関連情報を画面上に配置して映像信号を作成することができ、番組制作を効率良く素早く作成して放映することができる利点がある。なお、番組としては、例えば、多数の商品を同一規格で紹介するテレビショッピング、或いは災害情報等の関連情報を組み込む番組等があり、これらの番組制作に効果的である。また、表示装置の画面サイズが大型化すれば、通常の番組においても画面を主画面と主画面の関連情報を複数表示するための副画面とを組み合わせて放映される場合が想定され、このような番組制作に有効である。また、マーカーの作成がポインタ入力手段によって、画面のポインタを操作しながら作図する感覚で作成することができる利点がある。
【００１５】
また、請求項２の発明では、前記マーカー作成手段が、前記第１の入出力端子から入力されるマーカー入力情報による描画時のマーカーのＸＹ座標を検出する座標検出部と、
前記座標検出部から出力されるＸＹ座標を描画用座標に変換する座標変換部と、
前記第２の入出力端子に接続された前記外部マーカー記憶手段からのマーカー属性情報、又は前記座標検出部からのＸＹ座標情報を基にそのマーカー属性情報を記憶するＸＹ座標基準データテーブルと、
前記ＸＹ座標基準データテーブルからのマーカー属性情報を前記座標変換部によって描画用座標に変換したマーカー属性情報を記憶する表示用ＸＹ座標データテーブルとからなることを特徴とする請求項１に記載の映像表示装置であるので、
座標変換部が表示画素に合わせたＸＹ座標に変換する機能を有し、座標検出部から出力されるＸＹ座標が描画用座標に変換されて画面にマーカーが表示されており、マーカーが映像の表示方式に則って表示され、コンピュータで作図する感覚でマーカーを作成することができるし、複雑なマーカーを作成することができ、映像にその映像の関連情報を容易に合成した映像信号を作成できる利点がある。また、マーカー属性情報が確定した段階で、ＸＹ座標基準データテーブルに記憶され、ＸＹ座標基準データテーブルに記憶されたマーカー属性情報は外部マーカー記憶手段に書き込むことができ、このマーカー属性情報を他の映像表示装置で再生することができる利点がある。また、マーカー属性情報は映像の放映方式に対応する描画座標情報に基づいてマーカーが画面に表示され、コンピュータで作図する感覚でマーカーを作成することができ、容易に複雑なマーカーを作成することができ、映像にその映像の関連情報を合成した映像信号の作成が容易である利点がある。
【００１６】
また、請求項３の発明では、前記第１と第２の入出力端子がＵＳＢインターフェースであり、前記ポインタ入力手段がマーカーのＸＹ座標を設定するＵＳＢマウスであり、前記ＵＳＢマウスのドラッグ操作により前記マーカー描画時の起点及び終点を確定し、その起点及び終点に基づいて前記マーカーを前記映像表示部に表示することを特徴とする請求項１又は２に記載の映像表示装置であるので、ＵＳＢマウスを使用してマーカーの作成が可能であり、広く普及するＵＳＢ規格に則っており、放映される映像の放送規格でマーカーが表示され、コンピュータを操作する感覚でマーカーの作成が可能であり、使い勝手の良い映像表示装置を提供できる利点がある。
【００１７】
また、請求項４の発明では、前記ＸＹ座標基準データテーブルに記憶されたマーカー属性情報が前記ＵＳＢメモリに書き込まれ、該ＵＳＢメモリに書き込まれたマーカー属性情報を前記ＸＹ座標基準データテーブルに読み出して前記マーカーを再現表示することを特徴とする請求項２又は３に記載の映像表示装置であるので、ＵＳＢメモリに書き込まれたマーカー属性情報に基づいて複数台の映像表示装置で同一のマーカーを利用して番組制作ができる利点があり、番組制作における作業性が改善できる利点がある。
【００１８】
また、請求項５の発明では、前記マーカー属性情報が、マーカーを表示したか否を示す表示、現在描画中であるか否かを示す描画中フラグ、マーカーの表示色、及びマーカーのスタート座標である起点とエンド座標である終点の数値とを含むことを特徴とする請求項１，２又は３に記載の映像表示装置であるので、これらマーカー属性情報がＵＳＢメモリに書き込まれ、複数台の映像表示装置であっても同様のマーカー属性情報を利用して番組制作を行うことが可能であり、マーカーの表示色を主映像の色彩に応じてマーカの表示色を変更したりし、マーカの作成、利用に利便性を与えることができる利点がある。
【発明を実施するための最良の形態】
【００１９】
以下、本発明に係る映像表示装置の一実施の形態について、図面を参照して説明する。なお、図１は本発明に係る映像表示装置の一実施形態を示すブロック図であり、図２は本発明の映像表示装置の一実施形態の正面図である。図３（ａ）〜（ｃ）は本実施形態における箱型マーカ−の表示方法を示す図である。図４は１０８０用の表示方式に対応するＸＹ座標を含むマーカー属性情報を記録するＸＹ座標基準データテーブル図、図５は「１０８０」「７２０」「５７５」「４８０」の各表示方式による表示用ＸＹ座標（描画用座標）を作成するための概略ブロック図、図６は本実施形態の使用例を示す概略図である。
【００２０】
本実施形態は、画面にマーカーを表示しこのマーカーを目印とし主映像とその文字情報等による関連情報と合成して番組制作する際に使用するスタジオビデオモニタ用の映像表示装置であって、図１に示すように、マーカーを映像信号の描画用座標基準（表示用ＸＹ座標基準）により作成するマーカー作成部（マーカー作成手段）１０と、映像信号にマーカー映像信号を重畳するマーカー合成処理部２０と、マーカー合成処理部２０からのマーカー映像信号を重畳した映像信号を表示する画素表示用の映像表示器３０とからなる。この映像表示装置には、マーカー作成部１０と接続するためのＵＳＢ（Universal Serial Bus）インターフェースである入力端子Ｉ１  ，Ｉ２  が設けられているとともに、スイッチ操作による固定マーカー等を作成するためのスイッチ１２が設けられており、入力端子Ｉ１  にはマーカー入力情報を作成するためのＵＳＢマウス等によるポインタ入力手段（以下、ＵＳＢマウスと称する）１１が接続され、入力端子Ｉ２  にはマーカー属性情報を記憶するＵＳＢメモリ等の外部マーカー記憶手段（以下、ＵＳＢメモリと称する）１３が接続可能である。スイッチ１２は固定マーカー等を画面に表示するための操作スイッチであり、ＵＳＢマウス１１で作成するマーカーはユーザーが任意に作成できるユーザーマーカーである。
【００２１】
マーカー作成部１０は、ＵＳＢマウス１１からのマーカー入力情報を入出力端子Ｉ１  を介し、又はスイッチ１２から入力されるマーカー入力情報が入力され、マーカー入力情報から描画中のマーカーのＸＹ座標を検出するＸＹ座標検出部１５と、入出力端子Ｉ２  に接続されたＵＳＢメモリ１３から読み込まれるマーカー属性情報、又は座標検出部１５からのＸＹ座標情報を基に、映像の表示方式に対応したＸＹ座標情報を含むマーカー属性情報を記憶するＸＹ座標基準データテーブル１６と、座標検出部１５から出力されるＸＹ座標情報とＸＹ座標基準データテーブル１６から読み出されるマーカー属性情報とにより描画用座標に変換する表示用ＸＹ座標変換部１７と、ＸＹ座標基準データテーブル１６に書き込まれたマーカー属性情報を読み出し、座標変換部１７にて描画用座標（表示用ＸＹ座標）に変換してマーカー属性情報を記憶する表示用ＸＹ座標データテーブル１８とを備えている。
【００２２】
また、中央処理装置（ＣＰＵ）１４は、マーカー作成部１０のＸＹ座標検出部１５とＸＹ座標基準データテーブル１６と表示用ＸＹ座標変換部１７と表示用ＸＹ座標データテーブル１８を制御するとともに、入力端子Ｉ１  ，Ｉ２  、スイッチ１２等に接続され、これらからのデータ有無を常時検出し、ＵＳＢマウス１１、ＵＳＢメモリ１３、或いはスイッチ１２からの各データを待ち受けている。
【００２３】
マーカー合成処理部２０は、表示用ＸＹ座標変換部１７からの描画用座標信号を含むマーカー属性信号、または表示用ＸＹ座標データーテーブル１８に書き込まれた描画用座標信号を含むマーカー属性信号が入力されるとともに、外部の編集機４０から映像信号に関連情報が重畳されて入力される。因みに、編集機４０は映像信号の編集機能と文字発生装置４１からの文字情報・図柄等による関連情報を映像信号に加算する加算器４２等とが備えられている。主映像の関連情報は、編集機４０を必要に応じて操作することによって、映像表示器３０の画面上のマーカー表示位置へと移動させて所定位置に合成される。映像信号と関連情報とが合成された映像信号が映像表示器３０に出力されて表示される。なお、マーカー合成処理部２０は、図中、２１の符号で示したＦＰＧＡ（Field Programmable Gate Array ）で構成することができるが、この形態に限定するものではない。また、関連情報の位置合わせは、編集機４０を操作して画面に表示されたマーカーを参照して行われる。
【００２４】
映像表示装置の映像表示器３０の表示としては、図２のテレビショッピングにおける商品を表示する典型的な表示例がある。この映像表示装置には、マーカーが作成可能なスイッチＳが設けられているとともに、ＵＳＢマウス１１によりマーカー入力情報が入力されてユーザーマーカーを作成することができ、起動時、映像表示部３０の画面３１には、図示していないが、マーカーメニューが表示されるとともに、矢印（或いは十字キー）で示したような描画用ポインタＰが表示され、マーカーメニューには箱形マーカーと縦２本ラインマーカー、横２本ラインマーカー、確定ボタン、マーカー消去等が表示される。マーカーメニューに従ってマーカーの作成を開始すると、例えば、画面のポインタＰが「十字キー」の表示に切り替わり、ＵＳＢマウス１１を操作し、例えば、画面に商品タイトル位置を示すマーカーｍ１、商品説明範囲を示すマーカーｍ２、価格表示位置を示すマーカーｍ３、商品表示位置を示すマーカーｍ４、電話番号表示位置を示すマーカーｍ５を作成することができる。
【００２５】
なお、マーカーｍ１〜ｍ５は箱形マーカーｍａであり、マーカーｍ２は縦２本ラインマーカーｍｌであり、これらはユーザーマーカーである。また、マーカーメニューは、本装置が起動することによりＣＰＵ１４により制御されているマーカーメニュー表示手段が作動し画面３１に表示され、画面３１に表示されたマーカーメニューに従ってマーカーの作成ができる。また、画面３１にはマーカーの設定状況を表示するステータスバーを表示してもよい。ステータスバーには、箱型マーカーの色表示、マーカーを表示したか否を示す表示ＯＮ／ＯＦＦ、現在描画中であるか否かを示す描画中フラグの表示、或いはＸＹ軸によるスタート座標である起点とエンド座標である終点ポイントの各数値を表示することができる。
【００２６】
次に、本実施形態におけるマーカー表示方法について図３（ａ）〜（ｃ）を参照して説明する。画面３１に表示される矢印ＰをＵＳＢマウス１１で操作してマーカー入力信号を入出力端子Ｉ１  を介してＸＹ座標検出部１５に入力し箱形マーカーｍａを作成するものとする。なお、図３（ａ）の画面３１において、画面３１上の任意の位置をＸＹ座標で示すと、描画用ポインタＰの座標位置はＰ（ｘ，ｙ）と標記できる。ＵＳＢマウス１１の操作は、図３（ａ）の画面３１上の矢印による描画用ポインタＰを画面上の任意の位置に移動し、所定位置でＵＳＢマウス１１を左クリックして箱形マーカーｍａの起点とし、ＵＳＢマウス１１をドラッグして左ボタンを離して箱形マーカーｍａの終点とする。箱形マーカーｍａの起点（スタート座標）、終点（エンド座標）の各点のＸＹ座標信号は、ＸＹ座標検出部１５にてライン数による垂直方向信号（Ｙ軸方向）とサンプリングクロックによる水平方向信号（Ｘ軸方向）とを検出することができる。図３（ａ）に示すように、起点のＸＹ座標信号がＰ（ｘ，ｙ）であり、図３（ｂ）に示すように、終点のＸＹ座標信号がＰ（ｉ，ｊ）である。さらに、起点のＰ（ｘ，ｙ），終点のＰ（ｉ，ｊ）は描画座標に変換されて画面３１に表示される。また、図３（ｃ）に示すように、同一画面３１に他の箱形マーカーｍａのマーカー入力信号を入力することができる。同一画面には、例えば、１０個程度の箱形マーカーｍａ等が表示できる。
【００２７】
さらに、本実施形態では、先ず、ＸＹ座標検出部１５から出力されるＸＹ座標信号（マーカー属性信号）が表示用座標変換部１７に入力されて、そのＸＹ座標を表示画素数、スキャンサイズ（走査数）、表示位相の各情報を元に表示用座標変換部１７にて描画用座標信号に変換される。表示用座標変換部１７から出力された描画用座標信号（マーカー属性信号）は、マーカー合成処理部２０を経て映像表示器３０の画面３１にマーカーが表示される。一方、本実施形態とは外部機能である編集機４０からは、映像信号に文字発生装置４１から出力される文字情報等の関連情報が加算器４２で重畳されてマーカー合成処理部２０に入力され、関連情報が所定表示位置ではない場合、映像表示器３０の画面３１に表示されたマーカーを参照し、編集機４０を操作することによって、関連情報を所定位置に合成し、主映像とその文字情報等による関連情報とが一画面に位置決めされて表示される。なお、関連情報とは、テレビショッピングを例示した場合、図２に示した映像又は画像情報による商品、文字情報等による商品タイトル、商品説明、価格表示、電話番号等である。
【００２８】
また、本実施形態では、ＵＳＢマウス１１を操作しマーカーの終点を決定した時点で、ＸＹ座標信号等のマーカー属性情報がＸＹ座標基準データテーブル１６に書き込まれるとともに、表示用ＸＹ座標データテーブル１８には描画用座標に変換されたマーカー属性情報が書き込まれる。さらに、ＵＳＢメモリ１３が入力端子Ｉ２  に差し込まれている場合、作成されたマーカー属性情報がＵＳＢメモリ１３に自動的に書き込まれる。
【００２９】
また、既にマーカー属性情報がＵＳＢメモリ１３に書き込まれており、このマーカー属性情報を利用してマーカーを表示する場合、ＵＳＢメモリ１３のマーカー属性情報がＸＹ座標基準データテーブル１６に書き込まれ、マーカー表示ＯＮ設定時、現在の信号フォーマット、スキャンサイズ、表示位相の情報を元に、ＸＹ座標基準データテーブル１６のデータを表示用ＸＹ座標データテーブル１８に書き込み、そのマーカー属性情報によるマーカー画像信号が合成部１９に送られて映像表示器３０に表示される。
【００３０】
ＸＹ座標基準データテーブル１６には、走査線のライン数に合わせて、有効走査線数が「４８０」，「５７５」の従来放送、ハイビジョン放送の「７２０」，「１０８０」の４種類のデータテーブルがある。因みに、「４８０」はＮＴＳＣ方式、「５７５」はＰＡＬ方式、「７２０」はハイビジョン放送の７２０ｐ方式、「１０８０」はハイビジョン放送の１０８０ｉ方式を示し、ｉはインターレース方式、ｐはプログレッシブ方式を示している。図４は１０８０用ＸＹ座標基準データテーブルである。このデータテーブルについて説明すると、一画面には、例えば図中の「種類」の欄に「１」から「１０」のデーターテーブルがあり、１０種類のマーカーの設定が可能であり、「１」から「１０」に対応してマーカー名が例えばＢＯＸＭＫ１〜１０にように書き込むことができる。「表示ＯＮ／ＯＦＦ」の欄にはマーカーが設定されると、「１」が付与され、マーカーが設定されていない場合、「０」が付与される。また、現在描画中の場合は「１」、描画中でない場合は「０」となる。「色」の欄には、「青」，「白」，「赤」の色彩が設定されている。表示色は白、赤、緑、青、マゼンダ、シアン、黄の７種類がある。さらに、設定されたマーカーの起点（スタート座標）の数値、終点（エンド座標）のＸＹ座標の数値が書き込まれる。なお、図４は「１０８０」用のデータテーブルであるが、「４８０」、「５７５」、「７２０」であれば、これらの表示方式に対応する数値がＸＹ座標基準データに書き込まれる。なお、本実施形態の映像表示装置には、各放送方式に対応するＸＹ座標基準データが存在するが、選択的に数種の放送方式のＸＹ座標基準データを用意してもよい。
【００３１】
また、表示用ＸＹ座標データテーブル１８は、図４のデータテーブルと同様の構造であり、図５に示すように、４種類の基準データテーブルから放送方式のフォーマットに合わせてその内の１種類が選択されて、スキャン情報、表示位相情報、表示画素数（水平画素数×垂直画素数）といったマーカー属性情報を元に画素変換されたデータがこの表示用座標データテーブル１８に書き込まれる。
【００３２】
一方、ＵＳＢメモリ１３が入力端子Ｉ２  に差し込まれると、ＣＰＵ１４がＵＳＢメモリ１３を検出し、その検出信号に基づいて、ＵＳＢメモリ１３に書き込まれたマーカー属性情報がＸＹ座標基準データテーブル１６に書き込まれ、ＸＹ座標基準データテーブル１６に書き込まれたマーカー属性情報が表示用座標変換部１７を経て、描画用座標に変換されたマーカー属性情報が表示用座標データテーブル１８に書き込まれる。続いて、表示用座標データテーブル１８に書き込まれたマーカー属性情報が読み出されて合成器１９に送られ、合成器１９にて映像信号とマーカー映像信号とが合成され、映像表示器３０の画面に映像信号の画面サイズに対応してマーカーが表示される。
【００３３】
なお、マーカーは１画面（映像）のマーカー設定に対し１０種類のマーカを作成することができ、また、２種の従来方式、２種のハイビジョン方式の４種の表示方式があり、全数では４０種類のマーカーの設定が可能であり、これらを１画面毎に設定するのは困難な面があるが、本実施形態にように、設定したマーカー属性情報をＵＳＢメモリ１３に書き込むことによって、多大な労力を費やすことなくマーカー属性情報をＵＳＢメモリ１３から読み出して映像信号の表示方式に合わせてマーカーを表示することができ、番組制作が容易になる利点がある。
【００３４】
また、本実施形態の他の使用形態について図６を参照し説明する。本実施形態では、図６の映像表示装置５０でマーカーｍａを作成し、ＵＳＢメモリ１３を入力端子Ｉ２  に接続し、作成したマーカー属性信号をＵＳＢメモリ１３に読み込み、マーカー属性信号を読み込んだＵＳＢメモリ１３を、他の映像表示装置５１の入力端子Ｉ２  に接続し、ＵＳＢメモリ１３に読み込んだマーカー属性信号を読み出して映像表示装置５１の表示画面にマーカーｍａを表示することができる。従って、複数台の映像表示装置を簡単に同じ設定のマーカーｍａを表示することができる。
【００３５】
さらに、ＵＳＢメモリ１３に読み込んだマーカー属性信号は、ＵＳＢメモリ１３をパソコン５２の入力端子Ｉ３  に接続してパソコン５２に取り込み保存することができる。マーカー属性信号は、パソコン５２で管理することができるので、誤って消去した場合であってもパソコン５２からデータをＵＳＢメモリ１３に取り込み、ＵＳＢメモリ１３のマーカー属性信号を映像表示装置５０に読み出してマーカーｍａを表示することができる。また、パソコン５２に多くのマーカーを保存しファイル管理を行うことによって、番組制作に使用するマーカーをパソコン５２のファイルから選択してＵＳＢメモリ１３に取り込むことができ、煩雑な番組制作における編集作業を容易なものとすることができる。
【００３６】
なお、本実施形態では、マーカーを合成する映像信号の表示方式を検出する表示方式検出手段が映像表示装置に設けられ、表示方式検出手段からの出力に基づいて描画用座標基準を自動的に設定するようにしてもよい。
【産業上の利用可能性】
【００３７】
本発明の活用例としては、テレビショッピングのようなテレビ番組において、商品の主映像に価格等の関連する情報を一画面に配置して放映する番組制作に活用するスタジオビデオモニタ用の映像表示装置として利用することができる。また、本発明の映像表示装置では、主映像が静止画或いは動画であってもよく、画面をマーカーにより区分けして主映像データとともに文字データを含む各映像データを組み込んで構成する番組制作に活用することができる。
【図面の簡単な説明】
【００３８】
【図１】本発明に係る映像表示装置の一実施形態を示すブロック図である。
【図２】本発明の映像表示装置の一実施形態の正面図である。
【図３】（ａ）〜（ｃ）は本実施形態における箱型マーカ−の表示方法を示す図である。
【図４】本実施形態における１０８０用の表示方式に対応するＸＹ座標を含むマーカー属性情報を記録するＸＹ座標基準データテーブル図である。
【図５】本実施形態における「１０８０」，「７２０」，「５７５」，「４８０」の各表示方式による表示用ＸＹ座標を作成するための概略ブロック図である。
【図６】本実施形態の使用例を示す概略図である。
【図７】（ａ）はマーカーを固定位置を表示した表示図、（ｂ）は画面の縦２本横２本ラインをスイッチで任意に動かして表示した表示図、（ｃ）は箱形マーカーをスイッチで任意のサイズや位置に動かして表示した表示図である。
【図８】従来の映像表示装置の一例を示すブロック図である。
【符号の説明】
【００３９】
１０  マーカー作成部（マーカー作成手段）
１１  ＵＳＢマウス（ポインタ入力手段）
１２  スイッチ
１３  ＵＳＢメモリ（外部マーカー記憶手段）
１４  中央処理装置（ＣＰＵ）
１５  ＸＹ座標検出部
１６  ＸＹ座標基準データテーブル
１７  表示用座標変換部
１８  表示用ＸＹ座標データテーブル
１９  合成部（マーカー合成部）
２０  マーカー合成処理部
２１  ＦＰＧＡ
３０  映像表示器（映像表示部）
３１  画面
４０  編集機
４１  文字発生装置
４２  加算器
５０，５１  映像表示装置
Ｉ１  ，Ｉ２  入力端子（ＵＳＢインターフェース）
Ｓ  スイッチ
【図１】
2010050555.tif 000003
【図２】
2010050555.tif 000004
【図３】
2010050555.tif 000005
【図４】
2010050555.tif 000006
【図５】
2010050555.tif 000007
【図６】
2010050555.tif 000008
【図７】
2010050555.tif 000009
【図８】
2010050555.tif 000010